(57)【要約】【課題】搭載された二次電池の小型化を図ることができる情報処理装置、周辺機器および非接触給電システムを提供する。【解決手段】情報処理装置は、送電部と、受電部と、送電手段と、出力手段と、充電手段とを備える。送電部は、自装置と対応付けられた周辺機器に対して、機械的な接続のない非接触により当該周辺機器に電力を送電する。受電部は、周辺機器から機械的な接続のない非接触で送電された電力を受電する。送電手段は、電源ケーブルを介して電力が供給されている場合に、送電部を介して、周辺機器に電力を送電する。出力手段は、電源ケーブルを介した電力の供給が停止した場合に、周辺機器に電力の送電を要求する送電要求情報を出力する。充電手段は、受電部を介して、出力手段が送電要求情報を出力した周辺機器から送電された電力を電池に充電する。【選択図】図４
2016127719.tif 000002
【特許請求の範囲】
【請求項１】
自装置と対応付けられた周辺機器に対して、機械的な接続のない非接触により当該周辺機器に電力を送電する送電部と、
前記周辺機器から機械的な接続のない非接触で送電された電力を受電する受電部と、
電源ケーブルを介して電力が供給されている場合に、前記送電部を介して、前記周辺機器に電力を送電する送電手段と、
前記電源ケーブルを介した電力の供給が停止した場合に、前記周辺機器に電力の送電を要求する送電要求情報を出力する出力手段と、
前記受電部を介して、前記出力手段が前記送電要求情報を出力した前記周辺機器から送電された電力を電池に充電する充電手段と、
を備える情報処理装置。
【請求項２】
前記出力手段は、複数の前記周辺機器に前記送電要求情報を出力し、
前記充電手段は、複数の前記周辺機器から送電された電力を充電する、
請求項１に記載の情報処理装置。
【請求項３】
前記出力手段は、電力を送電する前記周辺機器を指定した前記送電要求情報を出力し、
前記充電手段は、前記送電要求情報で指定した前記周辺機器から送電された電力を充電する、
請求項２に記載の情報処理装置。
【請求項４】
自装置と対応付けられた情報処理装置から機械的な接続のない非接触で送電された電力を受電する受電部と、
機械的な接続のない非接触により前記情報処理装置に電力を送電する送電部と、
前記受電部を介して、前記情報処理装置から送電された電力を電池に充電する充電手段と、
前記情報処理装置から出力された電力の送電を要求する送電要求情報の入力を受け付ける入力手段と、
前記入力手段が前記送電要求情報の入力を受け付けた場合に、前記送電部を介して、前記情報処理装置に電力を送電する送電手段と、
を備える周辺機器。
【請求項５】
前記入力手段は、電力を送電する前記周辺機器が指定された前記送電要求情報の入力を受け付け、
前記送電手段は、自機が前記送電要求情報で指定された前記周辺機器である場合に電力を送電する、
請求項４に記載の周辺機器。
【請求項６】
情報処理装置と、周辺機器とを備える非接触給電システムであって、
前記情報処理装置は、
自装置と対応付けられた周辺機器に対して、機械的な接続のない非接触により当該周辺機器に電力を送電する送電部と、
前記周辺機器から機械的な接続のない非接触で送電された電力を受電する受電部と、
電源ケーブルを介して電力が供給されている場合に、前記送電部を介して、前記周辺機器に電力を送電する送電手段と、
前記電源ケーブルを介した電力の供給が停止した場合に、前記周辺機器に電力の送電を要求する送電要求情報を出力する出力手段と、
前記受電部を介して、前記出力手段が前記送電要求情報を出力した前記周辺機器から送電された電力を電池に充電する充電手段と、
を備え、
前記周辺機器は、
自装置と対応付けられた情報処理装置から機械的な接続のない非接触で送電された電力を受電する受電部と、
機械的な接続のない非接触により前記情報処理装置に電力を送電する送電部と、
前記受電部を介して、前記情報処理装置から送電された電力を電池に充電する充電手段と、
前記情報処理装置から出力された電力の送電を要求する送電要求情報の入力を受け付ける入力手段と、
前記入力手段が前記送電要求情報の入力を受け付けた場合に、前記送電部を介して、前記情報処理装置に電力を送電する送電手段と、
を備える、
非接触給電システム。
【発明の詳細な説明】
【技術分野】
【０００１】
本発明の実施形態は、情報処理装置、周辺機器および非接触給電システムに関する。
【背景技術】
【０００２】
近年、電源ケーブルを使用せずに電力を送る非接触給電システムが登場してきている。非接触給電システムは、パーソナルコンピュータや、ＡＶ（Audio  Visual）機器などに搭載された二次電池に対して、電磁界の共鳴現象等を利用して電力供給を可能にするものである。
【０００３】
また、二次電池は、低コスト化を図るためには、小型であることが望ましい。
【発明の概要】
【発明が解決しようとする課題】
【０００４】
本発明が解決しようとする課題は、搭載された二次電池の小型化を図ることができる情報処理装置、周辺機器および非接触給電システムを提供することである。
【課題を解決するための手段】
【０００５】
実施形態の情報処理装置は、送電部と、受電部と、送電手段と、出力手段と、充電手段とを備える。前記送電部は、自装置と対応付けられた周辺機器に対して、機械的な接続のない非接触により当該周辺機器に電力を送電する。前記受電部は、前記周辺機器から機械的な接続のない非接触で送電された電力を受電する。前記送電手段は、電源ケーブルを介して電力が供給されている場合に、前記送電部を介して、前記周辺機器に電力を送電する。前記出力手段は、前記電源ケーブルを介した電力の供給が停止した場合に、前記周辺機器に電力の送電を要求する送電要求情報を出力する。前記充電手段は、前記受電部を介して、前記出力手段が前記送電要求情報を出力した前記周辺機器から送電された電力を電池に充電する。
【図面の簡単な説明】
【０００６】
【図１】図１は、本実施形態に係るＰＯＳシステムの構成を示す図である。
【図２】図２は、ＰＯＳ端末のハードウェア構成の一例を示すブロック図である。
【図３】図３は、周辺機器のハードウェア構成の一例を示すブロック図である。
【図４】図４は、ＰＯＳシステムの機能構成を示す図である。
【図５】図５は、モード変更処理の流れを示すフローチャートである。
【図６】図６は、送電モード処理の流れを示すフローチャートである。
【図７】図７は、受電モード処理の流れを示すフローチャートである。
【発明を実施するための形態】
【０００７】
以下、添付図面を参照して、情報処理装置、周辺機器および非接触給電システムの実施形態を詳細に説明する。なお、以下に説明する実施形態は、情報処理装置、周辺機器および非接触給電システムの一実施形態であって、その構成や仕様等を限定するものではない。本実施形態は、非接触給電システムを、スーパーマーケット等の店舗に導入された、一取引にかかる商品の登録・精算を行うＰＯＳ（Point  Of  Sale）システムに適用した例である。
【０００８】
図１は、本実施形態に係るＰＯＳシステム１の構成を示す図である。ＰＯＳシステム１は、ＰＯＳ端末１０と、周辺機器２０ａと、周辺機器２０ｂと、周辺機器２０ｃと、周辺機器２０ｄとを備える。ＰＯＳシステム１は、ＰＯＳ端末１０と、周辺機器２０ａと、周辺機器２０ｂと、周辺機器２０ｃと、周辺機器２０ｄとを無線で通信可能に接続している。
【０００９】
ＰＯＳ端末１０は、商品販売データ処理を実行する情報処理装置である。周辺機器２０ａは、レシート用紙等の所定の用紙に、一取引の取引内容をレシートに印字するプリンタである。周辺機器２０ｂは、バーコード化された商品コードを光学的に読み取るコードスキャナである。周辺機器２０ｃは、顧客向けに各種情報を表示する液晶ディスプレイ等の表示装置である。周辺機器２０ｄは、入金された貨幣を収納するとともに、ＰＯＳ端末１０からの命令（出金コマンド）に基づいて貨幣（釣銭）を自動的に出金する自動釣銭機である。以下、周辺機器２０ａと、周辺機器２０ｂと、周辺機器２０ｃと、周辺機器２０ｄとを区別しない場合には、周辺機器２０と説明する。また、周辺機器２０は、上述の機器に限らない。ＰＯＳシステム１は、上述以外の機器を備えていてもよい。また、ＰＯＳシステム１は、周辺機器２０を一台以上備えていればよい。
【００１０】
ＰＯＳシステム１は、ＰＯＳ端末１０がコンセントなどの電源から電源ケーブルを介して電力の供給を受けている場合には、周辺機器２０に対してＰＯＳ端末１０から非接触により電力を供給（以下、送電という）する。そして、ＰＯＳシステム１は、ＰＯＳ端末１０に対する電力供給が停止した場合には、周辺機器２０から非接触により供給された電力をＰＯＳ端末１０が受ける（以下、受電という）。これにより、ＰＯＳ端末１０は、シャットダウンを完了するために必要な電力を得ることができる。ここで、非接触とは、機械的な接続のないことを意味する。例えば、配線を介して接続されていないことや、コネクタを介して接続されていないことなどを意味する。
【００１１】
次に、上記した各装置のハードウェア構成について説明する。
【００１２】
まず、ＰＯＳ端末１０について説明する。図２は、ＰＯＳ端末１０のハードウェア構成の一例を示すブロック図である。図２に示すように、ＰＯＳ端末１０は、各種演算やＰＯＳ端末１０の各部を統括的に制御する制御部１１を備える。制御部１１は、ＣＰＵ（Central  Processing  Unit）、ＲＯＭ（Read  Only  Memory）、ＲＡＭ（Random  Access  Memory）、ＲＴＣ（Real  Time  Clock）等によって構成されるコンピュータである。ＲＯＭは、各種プログラムやデータを記憶する。ＲＡＭは、各種プログラムを一時的に記憶するとともに、各種データを書き換え自在に記憶する。ＲＴＣは、現在の日時を計時する。
【００１３】
制御部１１は、バス１９を介して操作部１２、表示部１３、及び記憶部１４と接続している。
【００１４】
操作部１２は、オペレータが操作入力を行うための各種の操作キーを有する。操作キーは、例えば、置数キーや、カーソルキーや、選択決定キーや、小計キーや、締めキー等である。
【００１５】
表示部１３は、例えば、液晶ディスプレイ等である。そして、表示部１３は、販売登録された商品の品名、価格、決済が宣言された一取引の合計金額、釣銭額等の各種情報を表示する。また、表示部１３は、タッチパネルを備えてもよい。
【００１６】
記憶部１４は、例えばＨＤＤ（Hard  Disk  Drive）やＳＳＤ（Solid  State  Drive）等の補助記憶装置である。記憶部１４は、制御部１１（ＣＰＵ）が実行する各種プログラムを記憶する。また、記憶部１４は、各商品の商品名、商品コード及び単価等の商品データを格納した商品データファイル等の各種データファイルを記憶する。
【００１７】
また、制御部１１は、バス１９を介して通信インタフェース１５と接続する。制御部１１は、この通信インタフェース１５を介して周辺機器２０と接続することができる。具体的には、通信インタフェース１５は、例えば、Ｂｌｕｅｔｏｏｔｈ（登録商標）等の規格により通信する。なお、通信インタフェース１５は、Ｂｌｕｅｔｏｏｔｈ（登録商標）以外の規格を採用してもよい。例えば、通信インタフェース１５は、Ｗｉｒｅｌｅｓｓ  Ｆｉｄｅｌｉｔｙ（登録商標）等の規格により通信してもよい。
【００１８】
また、制御部１１は、バス１９を介して二次電池１６と接続する。二次電池１６は、充電により電気を蓄えることが可能な電池である。二次電池１６は、停電時にＰＯＳ端末１０の各部が使用する電力を供給する。二次電池１６は、例えば、リチウムイオン電池などである。なお、二次電池１６は、リチウムイオン電池以外の種類であってもよい。
【００１９】
また、制御部１１は、バス１９を介して電源部１７と接続する。電源部１７は、電源ケーブル（不図示）を介して電力の供給を受ける。そして、電源部１７は、供給された電力を整流する。また、電源部１７は、ＰＯＳ端末１０の各部が使用する電力を供給する。さらに、電源部１７は、整流した電力を二次電池１６に充電する。
【００２０】
また、制御部１１は、バス１９を介して非接触送電部１８ａと接続する。送電部である非接触送電部１８ａは、二次電池１６に充電された電力を非接触により各周辺機器２０に送電する。非接触給電は、公知技術を用いるものとする。非接触給電の方式は、電磁誘導方式であってもよいし、磁界共鳴方式であってもよいし、これ以外の方式であってもよい。また、ＰＯＳ端末１０は、非接触送電部１８ａを複数備えていてもよい。なお、非接触給電の方式は、ＰＯＳ端末１０と各周辺機器２０との距離が数十センチメートルから２メートル程度離れている場合には、磁界共鳴方式であることが好ましい。
【００２１】
ここで、磁界共鳴方式とは、共鳴現象を利用して非接触により電力を供給する方式である。共鳴現象とは、同じ周波数で振動する物体を近づけて置き、一方の物体を振動させると他方の物体も振動する現象である。磁界共鳴方式では、電力を供給する送電側と、電力を供給される受電側とに振動させる物体として同一の共振周波数を有するコイルを備える。送電側のコイルは、交流電流が供給されると振動した磁界を生じさせる。この時、受電側のコイルは、送電側のコイルと共振周波数が一致しているため、受電側のコイルの周辺にも磁界を生じさせる。これにより、受電側のコイルは、受電側のコイル内を流れる誘導電流を生じさせる。従って、送電側のコイルは、受電側のコイルに非接触で電力を供給することができる。そして、磁界共鳴方式は、送電側のコイルと、受電側のコイルとは互いに強く結合しているため、コイル間の距離が長くても、高い伝送効率を得ることができる。
【００２２】
また、制御部１１は、バス１９を介して非接触受電部１８ｂと接続する。受電部である非接触受電部１８ｂは、各周辺機器２０から非接触により送電された電力を受電する。そして、非接触受電部１８ｂは、受電した電力を整流する。また、非接触受電部１８ｂは、整流した電力を二次電池１６に充電する。非接触給電の方式は、公知技術を用いるものとする。非接触給電の方式は、電磁誘導方式であってもよいし、磁界共鳴方式であってもよいし、これ以外の方式であってもよい。また、ＰＯＳ端末１０は、非接触受電部１８ｂを複数備えていてもよい。なお、非接触給電の方式は、ＰＯＳ端末１０と各周辺機器２０との距離が数十センチメートルから２メートル程度離れている場合には、磁界共鳴方式であることが好ましい。
【００２３】
次に、周辺機器２０について説明する。図３は、周辺機器２０のハードウェア構成の一例を示すブロック図である。図３に示すように、周辺機器２０は、周辺機器２０の各部を統括的に制御する制御部２１を備える。制御部２１は、ＣＰＵ、ＲＯＭ、ＲＡＭ、ＲＴＣ等によって構成されるコンピュータである。ＲＯＭは、各種プログラムやデータを記憶する。ＲＡＭは、各種プログラムを一時的に記憶するとともに、各種データを書き換え自在に記憶する。ＲＴＣは、現在の日時を計時する。
【００２４】
制御部２１は、バス２６を介して、記憶部２２と接続している。記憶部２２は、例えばＨＤＤやＳＳＤ等の補助記憶装置である。記憶部２２は、制御部２１（ＣＰＵ）が実行する各種プログラムを記憶する。
【００２５】
また、制御部２１は、バス２６を介して通信インタフェース２３と接続する。制御部２１は、この通信インタフェース２３を介してＰＯＳ端末１０と接続することができる。通信インタフェース２３は、ＰＯＳ端末１０と無線で接続可能なインタフェースである。具体的には、通信インタフェース２３は、例えば、Ｂｌｕｅｔｏｏｔｈ（登録商標）等の規格により通信する。なお、通信インタフェース２３は、Ｂｌｕｅｔｏｏｔｈ（登録商標）以外の規格を採用してもよい。例えば、通信インタフェース２３は、Ｗｉｒｅｌｅｓｓ  Ｆｉｄｅｌｉｔｙ（登録商標）等の規格により通信してもよい。但し、通信インタフェース２３は、ＰＯＳ端末１０の通信インタフェース１５と同一の規格を採用するものとする。
【００２６】
また、制御部２１は、バス２６を介して二次電池２４と接続する。二次電池２４は、充電により電気を蓄えることが可能な電池である。二次電池２４は、周辺機器２０の各部が使用する電力を供給する。二次電池２４は、例えば、リチウムイオン電池などである。なお、二次電池２４は、リチウムイオン電池以外の種類であってもよい。
【００２７】
また、制御部２１は、バス２６を介して非接触送電部２５ａと接続する。送電部である非接触送電部２５ａは、二次電池２４に充電された電力を非接触によりＰＯＳ端末１０に送電する。なお、非接触給電の方式は、ＰＯＳ端末１０と同一の方式を用いるものとする。
【００２８】
また、制御部２１は、バス２６を介して非接触受電部２５ｂと接続する。受電部である非接触受電部２５ｂは、ＰＯＳ端末１０から非接触により送電された電力を受電する。そして、非接触受電部２５ｂは、受電した電力を整流する。また、非接触受電部２５ｂは、整流した電力を二次電池２４に充電する。なお、非接触給電の方式は、ＰＯＳ端末１０と同一の方式を用いるものとする。
【００２９】
また、制御部２１は、周辺機器２０に応じたハードウェアと接続している。具体的には、周辺機器２０ａがプリンタである場合には制御部２１は、レシート用紙を搬送する駆動モータ（不図示）や、レシート用紙に文字や図形を印字する印字ヘッド（不図示）などと接続している。または、周辺機器２０ｂがコードスキャナである場合には制御部２１は、商品に付されたバーコードや二次元コード等を光学的に読み取るスキャナ（不図示）などと接続している。または、周辺機器２０ｃが表示装置である場合には制御部２１は、顧客に向けて各種情報を表示する液晶ディスプレイ（不図示）などと接続している。または、周辺機器２０ｄが自動釣銭機である場合には制御部２１は、ＰＯＳ端末１０の要求に応じて紙幣および硬貨を払い出す入出金部（不図示）などと接続している。
【００３０】
次に、ＰＯＳシステム１の機能構成について説明する。図４は、ＰＯＳシステム１の機能構成を示す図である。
【００３１】
まず、ＰＯＳ端末１０の機能構成について説明する。図４に示すように、ＰＯＳ端末１０は、機能部として、モード制御部１１１と、充電制御部１１２と、停電検出部１１３と、停止制御部１１４と、非接触給電制御部１１５と、システム制御部１１６と、通信制御部１１７とを備える。具体的には、制御部１１のＣＰＵが、記憶部１４のプログラムを実行することにより、各機能部がＲＡＭ上に生成される。
【００３２】
モード制御部１１１は、ＰＯＳ端末１０の給電設定を制御する。モード制御部１１１は、電源部１７から電力が供給されると給電設定を送電モードに設定する。そして、モード制御部１１１は、電源部１７からの電力の供給が停止されると受電モードに設定する。
【００３３】
充電制御部１１２は、給電設定が送電モードに設定されている場合に、電源ケーブルなどを介して、電源部１７に供給された電力を二次電池１６に充電する。
【００３４】
停電検出部１１３は、電源部１７からの電力の供給を監視する。すなわち、停電検出部１１３は、電源ケーブルなどを介して、電力が供給されているか否かを判定する。これにより、停電検出部１１３は、電源部１７から供給される電力の供給の停止を検出する。
【００３５】
停止制御部１１４は、ＰＯＳ端末１０のシャットダウン処理を制御する。停止制御部１１４は、操作部１２を介して、シャットダウン処理を要求する操作が入力された場合に、ＰＯＳ端末１０をシャットダウン処理により停止する。または、停止制御部１１４は、給電設定が受電モードに設定された場合に、シャットダウン処理によりＰＯＳ端末１０を停止する。ここで、シャットダウン処理とは、起動中のソフトウェアの終了や、作業中のファイルの終了や、ＲＡＭ上のデータの退避や、ＰＯＳ端末１０の電源のＯＦＦなどによりＰＯＳ端末１０を停止させる処理である。
【００３６】
非接触給電制御部１１５は、ＰＯＳ端末１０の非接触給電を制御する。送電手段である非接触給電制御部１１５は、給電設定が送電モードの場合には、非接触送電部１８ａを介して、電源部１７から供給された電力を周辺機器２０に送電する。また、非接触給電制御部１１５は、給電設定が受電モードの場合には、非接触受電部１８ｂを介して、周辺機器２０から送電された電力を受電する。そして、充電手段である非接触給電制御部１１５は、受電した電力を二次電池１６に充電する。
【００３７】
システム制御部１１６は、ＰＯＳシステム１に係る非接触給電システムを制御する。すなわち、システム制御部１１６は、ＰＯＳ端末１０の給電設定が受電モードに設定された場合に、周辺機器２０を制御する。具体的には、システム制御部１１６は、給電設定が受電モードに変更された場合に、周辺機器２０に送信するためのモード変更情報を生成する。ここで、モード変更情報とは、周辺機器２０の給電設定を送電モードに設定することを要求する情報である。
【００３８】
また、システム制御部１１６は、周辺機器２０に送信するための送電要求情報を生成する。ここで、送電要求情報とは、ＰＯＳ端末１０への送電を要求する情報である。そして、送電要求情報には、ＰＯＳ端末１０に電力を送電する周辺機器２０を指定した情報が含まれる。これにより、ＰＯＳ端末１０は、指定した周辺機器２０から非接触で送電された電力を充電する。そして、指定された周辺機器２０は、送電可能な全ての電力を送電すると、送電完了情報をＰＯＳ端末１０に送信する。この時、指定されなかった周辺機器２０は、電力の送電を待機する。
【００３９】
送電完了情報を受信するとシステム制御部１１６は、未だに電力を送電していない周辺機器２０を指定した送電要求情報を生成する。これにより、ＰＯＳ端末１０は、１または複数の周辺機器２０から非接触で送電された電力を充電する。なお、システム制御部１１６が送電要求情報で指定する周辺機器２０の選出方法は、問わないものとする。例えば、システム制御部１１６は、予め定められた順番により周辺機器２０を選出する。
【００４０】
通信制御部１１７は、通信インタフェース１５を介した、周辺機器２０との通信を制御する。通信制御部１１７は、通信インタフェース１５がＢｌｕｅｔｏｏｔｈ（登録商標）等の規格により通信する場合には、ペアリングされた周辺機器２０との通信を制御する。ここで、ペアリングとは、近くにいる無関係な機器と通信しないように、通信する周辺機器２０とＰＯＳ端末１０とを対応付ける処理である。これにより、通信制御部１１７は、自装置と周辺機器２０とを対応付ける。
【００４１】
そして、通信制御部１１７は、モード変更情報や、送電要求情報を、ＰＯＳシステム１が有する１または複数の周辺機器２０に送信する。すなわち、出力手段である通信制御部１１７は、周辺機器２０ａと、周辺機器２０ｂと、周辺機器２０ｃと、周辺機器２０ｄとにモード変更情報や、送電要求情報を出力する。また、通信制御部１１７は、送電完了情報を周辺機器２０から受信する。
【００４２】
次に、周辺機器２０の機能構成について説明する。図４に示すように、周辺機器２０は、機能部として、モード制御部２１１と、非接触給電制御部２１２と、通信制御部２１３と、機能制御部２１４とを備える。具体的には、制御部２１のＣＰＵが、記憶部２２のプログラムを実行することにより、各機能部がＲＡＭ上に生成される。
【００４３】
モード制御部２１１は、周辺機器２０の給電設定を制御する。周辺機器２０は、給電設定の初期値として、受電モードが設定されている。モード制御部２１１は、モード変更情報を受信すると、給電設定を送電モードに設定する。
【００４４】
非接触給電制御部２１２は、周辺機器２０の非接触給電を制御する。非接触給電制御部２１２は、給電設定が受電モードの場合には、非接触受電部２５ｂを介して、ＰＯＳ端末１０から送電された電力を受電する。そして、充電手段である非接触給電制御部２１２は、受電した電力を二次電池２４に充電する。
【００４５】
また、非接触給電制御部２１２は、給電設定が送電モードの場合には、送電要求情報によって、電力をＰＯＳ端末１０に送電する周辺機器２０に指定されるまで送電を待機する。そして、送電手段である非接触給電制御部２１２は、電力をＰＯＳ端末１０に送電する周辺機器２０に指定されると、非接触送電部２５ａを介して、二次電池２４に充電された電力をＰＯＳ端末１０に送電する。すなわち、非接触給電制御部２１２は、自装置が送電要求情報で指定された周辺機器２０である場合に、非接触送電部２５ａを介して、二次電池２４に充電された電力をＰＯＳ端末１０に送電する。
【００４６】
通信制御部２１３は、通信インタフェース２３を介した、ＰＯＳ端末１０との通信を制御する。その際、通信制御部２１３は、ペアリングにより対応付けられたＰＯＳ端末１０との通信を制御する。
【００４７】
そして、通信制御部２１３は、ＰＯＳ端末１０からモード変更情報や、送電要求情報を受信する。すなわち、入力手段である通信制御部２１３は、ＰＯＳ端末１０からモード変更情報や、送電要求情報の入力を受け付ける。また、通信制御部２１３は、送電完了情報をＰＯＳ端末１０に送信する。
【００４８】
機能制御部２１４は、周辺機器２０が有している機能を制御する。機能制御部２１４は、周辺機器２０の給電設定が受電モードに設定された場合には、二次電池２４に充電された電力を使用して周辺機器２０が有している機能を制御する。
【００４９】
また、機能制御部２１４は、周辺機器２０の給電設定が送電モードに設定された場合に、周辺機器２０が有している機能を停止させる。具体的には、機能制御部２１４は、周辺機器２０ａがプリンタである場合には、レシート用紙等の所定の用紙に、一取引の取引内容をレシートに印字する機能を停止する。機能制御部２１４は、周辺機器２０ｂがコードスキャナである場合には、バーコード化された商品コードを光学的に読み取る機能を停止する。機能制御部２１４は、周辺機器２０ｃが表示装置である場合には、顧客向けに各種情報を表示する機能を停止する。機能制御部２１４は、周辺機器２０ｄが自動釣銭機である場合には、入金された貨幣を収納するとともに、ＰＯＳ端末１０からの命令（出金コマンド）に基づいて貨幣（釣銭）を自動的に出金する機能を停止する。
【００５０】
次に、上述した実施形態にかかるＰＯＳ端末１０の制御部１１がプログラムに従って実行するモード変更処理について説明する。モード変更処理とは、給電設定を送電モードから受電モードに変更する処理である。
【００５１】
図５は、ＰＯＳ端末１０の制御部１１がプログラムに従って実行するモード変更処理の流れを示すフローチャートである。
【００５２】
まず、ＰＯＳ端末１０のモード制御部１１１は、電源部１７から電力が供給されると給電設定を送電モードに設定する（ステップＳ１１）。次いで、ＰＯＳ端末１０の制御部１１は、送電モード処理を実行する（ステップＳ１２）。なお、送電モード処理の詳細は、後述する。次いで、ＰＯＳ端末１０の充電制御部１１２は、電源部１７から供給された電力を二次電池１６に充電する（ステップＳ１３）。
【００５３】
次いで、ＰＯＳ端末１０の停電検出部１１３は、電源部１７から供給されている電力が停止されたか否かを判定する（ステップＳ１４）。電力が停止されていない場合に（ステップＳ１４；Ｎｏ）、ＰＯＳ端末１０の制御部１１は、操作部１２を介して、シャットダウン操作の入力が検出されるか否かを判定する（ステップＳ１５）。
【００５４】
シャットダウン操作の入力が検出された場合に（ステップＳ１５；Ｙｅｓ）、ＰＯＳ端末１０の制御部１１は、ステップＳ１８に移行する。一方、シャットダウン操作の入力が検出されない場合に（ステップＳ１５；Ｎｏ）、ＰＯＳ端末１０の制御部１１は、ステップＳ１２に移行する。
【００５５】
一方、電力が停止された場合に（ステップＳ１４；Ｙｅｓ）、ＰＯＳ端末１０のモード制御部１１１は、給電設定を受電モードに設定する（ステップＳ１６）。次いで、ＰＯＳ端末１０の制御部１１は、受電モード処理を実行する（ステップＳ１７）。なお、受電モード処理の詳細は、後述する。次いで、ＰＯＳ端末１０の停止制御部１１４は、ＰＯＳ端末１０のシャットダウン処理を開始する（ステップＳ１８）。
【００５６】
次いで、ＰＯＳ端末１０の停止制御部１１４は、シャットダウン処理が完了したか否かを判定する（ステップＳ１９）。シャットダウン処理が完了していない場合に（ステップＳ１９；Ｎｏ）、ＰＯＳ端末１０の停止制御部１１４は、ステップＳ１９に待機する。
【００５７】
一方、シャットダウン処理が完了した場合に（ステップＳ１９；Ｙｅｓ）、ＰＯＳ端末１０の制御部１１は、モード変更処理を終了する。
【００５８】
次に、上述した実施形態にかかるＰＯＳ端末１０の制御部１１と周辺機器２０の制御部２１がプログラムに従って実行する前述した送電モード処理について説明する。送電モード処理とは、送電モード時にＰＯＳ端末１０が各周辺機器２０に非接触で電力を送電する処理である。
【００５９】
図６は、ＰＯＳ端末１０の制御部１１と周辺機器２０の制御部２１がプログラムに従って実行する送電モード処理の流れを示すフローチャートである。なお、図６に示すフローチャートは、ＰＯＳ端末１０が給電設定を送電モードに設定したところから説明している。
【００６０】
まず、ＰＯＳ端末１０のモード制御部１１１は、給電設定を送電モードに設定する（ステップＳ２１）。次いで、ＰＯＳ端末１０の非接触給電制御部１１５は、非接触送電部１８ａを介して、電源部１７から供給された電力を周辺機器２０に送電する（ステップＳ２２）。
【００６１】
周辺機器２０の非接触給電制御部２１２は、非接触受電部２５ｂを介して、ＰＯＳ端末１０から送電された電力を受電する（ステップＳ２３）。次いで、周辺機器２０の非接触給電制御部２１２は、受電した電力を二次電池２４に充電する（ステップＳ２４）。
【００６２】
周辺機器２０の非接触給電制御部２１２は、給電設定が送電モードに設定されたか否かを判定する（ステップＳ２５）。送電モードに設定されていない場合に（ステップＳ２５；Ｎｏ）、周辺機器２０の非接触給電制御部２１２は、ステップＳ２３に移行する。
【００６３】
一方、送電モードに設定された場合に（ステップＳ２５；Ｙｅｓ）、周辺機器２０の制御部２１は、送電モード処理を終了する。
【００６４】
次に、上述した実施形態にかかるＰＯＳ端末１０の制御部１１と周辺機器２０の制御部２１がプログラムに従って実行する受電モード処理について説明する。受電モード処理とは、受電モード時に各周辺機器２０から非接触で送電された電力をＰＯＳ端末１０が受電する処理である。
【００６５】
図７は、ＰＯＳ端末１０の制御部１１と周辺機器２０の制御部２１がプログラムに従って実行する受電モード処理の流れを示すフローチャートである。なお、図７に示すフローチャートは、ＰＯＳ端末１０が給電設定を受電モードに設定したところから説明している。
【００６６】
まず、ＰＯＳ端末１０のモード制御部１１１は、給電設定を受電モードに設定する（ステップＳ３１）。次いで、ＰＯＳ端末１０のシステム制御部１１６は、モード変更情報を生成する（ステップＳ３２）。次いで、ＰＯＳ端末１０の通信制御部１１７は、生成したモード変更情報を各周辺機器２０に送信する（ステップＳ３３）。
【００６７】
周辺機器２０の通信制御部２１３は、ＰＯＳ端末１０から送信されたモード変更情報を受信する（ステップＳ３４）。次いで、周辺機器２０のモード制御部２１１は、給電設定を送電モードに設定する（ステップＳ３５）。
【００６８】
次いで、周辺機器２０の機能制御部２１４は、機能を停止する（ステップＳ３６）。具体的には、プリンタである周辺機器２０ａは、レシート用紙等の所定の用紙に、一取引の取引内容をレシートに印字する機能を停止する。コードスキャナである周辺機器２０ｂは、バーコード化された商品コードを光学的に読み取る機能を停止する。表示装置である周辺機器２０ｃは、顧客向けに各種情報を表示する機能を停止する。自動釣銭機である周辺機器２０ｄは、入金された貨幣を収納するとともに、ＰＯＳ端末１０からの命令（出金コマンド）に基づいて貨幣（釣銭）を自動的に出金する機能を停止する。
【００６９】
次いで、ＰＯＳ端末１０のシステム制御部１１６は、送電要求情報を生成する（ステップＳ３７）。次いで、ＰＯＳ端末１０の通信制御部１１７は、生成した送電要求情報を周辺機器２０に送信する（ステップＳ３８）。
【００７０】
次いで、周辺機器２０の通信制御部２１３は、送電要求情報を受信する（ステップＳ３９）。次いで、送電要求情報で指定された周辺機器２０の非接触給電制御部２１２は、非接触送電部２５ａを介して、二次電池２４に充電された電力をＰＯＳ端末１０に送電する（ステップＳ４０）。
【００７１】
次いで、ＰＯＳ端末１０の非接触給電制御部１１５は、非接触受電部１８ｂを介して、周辺機器２０から送電された電力を受電する（ステップＳ４１）。次いで、ＰＯＳ端末１０の非接触給電制御部１１５は、受電した電力を二次電池１６に充電する（ステップＳ４２）。
【００７２】
次いで、送電要求情報で指定された周辺機器２０の非接触給電制御部２１２は、ＰＯＳ端末１０に送電可能な電力を全て送電したか否かを判定する（ステップＳ４３）。電力を全て送電していない場合に（ステップＳ４３；Ｎｏ）、周辺機器２０の非接触給電制御部２１２は、ステップＳ４０に移行する。
【００７３】
一方、電力を全て送電した場合に（ステップＳ４３；Ｙｅｓ）、周辺機器２０の通信制御部２１３は、電力を全て送電したことを示す送電完了情報を送信する（ステップＳ４４）。
【００７４】
次いで、ＰＯＳ端末１０の通信制御部２１３は、周辺機器２０から送信された送電完了情報を受信する（ステップＳ４５）。次いで、ＰＯＳ端末１０の非接触給電制御部１１５は、全ての周辺機器２０から電力を受電したか否かを判定する（ステップＳ４６）。全ての周辺機器２０から電力を受電していない場合に（ステップＳ４６；Ｎｏ）、ＰＯＳ端末１０の非接触給電制御部１１５は、ステップＳ３７に移行する。そして、ＰＯＳ端末１０のシステム制御部１１６は、次の周辺機器２０を指定した送電要求情報を生成する。
【００７５】
一方、全ての周辺機器２０から電力を受電した場合に（ステップＳ４６；Ｙｅｓ）、ＰＯＳ端末１０の制御部１１は、受電モード処理を終了する。
【００７６】
以上のように、本実施形態のＰＯＳシステム１によれば、ＰＯＳ端末１０は、非接触で周辺機器２０に電力を送電する非接触送電部１８ａと、周辺機器２０から非接触で送電された電力を受電する非接触受電部１８ｂとを備える。ＰＯＳ端末１０は、電源ケーブルから電力が供給されている場合には、非接触送電部１８ａを介して、周辺機器２０に電力を送電する。一方、ＰＯＳ端末１０は、電源ケーブルから電力が停止した場合には、送電要求情報を周辺機器２０に送信する。そして、周辺機器２０は、ＰＯＳ端末１０とペアリングにより対応付けられている。また、ＰＯＳ端末１０は、非接触受電部１８ｂを介して、周辺機器２０から送電された電力を充電する。すなわち、ＰＯＳ端末１０は、停電した場合には、周辺機器２０から供給された電力で二次電池１６を充電する。そして、ＰＯＳ端末１０は、この充電した電力を用いて、シャットダウン処理を実行することができる。よって、ＰＯＳ端末１０は、電源ケーブルから供給される電力の停止から、周辺機器２０から送電された電力を二次電池１６に充電するまでの期間、ＰＯＳ端末１０の起動を維持することが可能な容量の二次電池１６を備えていればよい。よって、本実施形態のＰＯＳシステム１は、二次電池１６を従来よりも小型化することができる。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７８】
また、上記実施形態では、ＰＯＳ端末１０のシステム制御部１１６は、ＰＯＳ端末１０に非接触で電力を送電する周辺機器２０を選出している。この時、ＰＯＳ端末１０のシステム制御部１１６は、ＰＯＳ端末１０に電力を送電する周辺機器２０として、複数の周辺機器２０を選出してもよい。
【００７９】
また、上記実施形態では、ＰＯＳ端末１０は、通信インタフェース１５を介して、周辺機器２０と通信する。同様に、周辺機器２０は、通信インタフェース２３を介して、ＰＯＳ端末１０と通信すると説明している。しかしながら、ＰＯＳ端末１０と周辺機器２０との間の通信は、これに限らない。例えば、ＰＯＳ端末１０と周辺機器２０とは、磁界共鳴を通信に使用してもよい。すなわち、ＰＯＳ端末１０は、非接触送電部１８ａ又は非接触受電部１８ｂを介して、周辺機器２０と通信してもよい。同様に、周辺機器２０は、非接触送電部２５ａ又は非接触受電部２５ｂを介して、ＰＯＳ端末１０と通信してもよい。
【００８０】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００８１】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【００８２】
１  ＰＯＳシステム
１０  ＰＯＳ端末
１１１  モード制御部
１１２  充電制御部
１１３  停電検出部
１１４  停止制御部
１１５  非接触給電制御部
１１６  システム制御部
１１７  通信制御部
１８ａ  非接触送電部
１８ｂ  非接触受電部
２０ａ、２０ｂ、２０ｃ、２０ｄ  周辺機器
２１１  モード制御部
２１２  非接触給電制御部
２１３  通信制御部
２１４  機能制御部
２５ａ  非接触送電部
２５ｂ  非接触受電部
【先行技術文献】
【特許文献】
【００８３】
【特許文献１】特開２０１０−２４６２４８号公報
【図１】
2016127719.tif 000003
【図２】
2016127719.tif 000004
【図３】
2016127719.tif 000005
【図４】
2016127719.tif 000006
【図５】
2016127719.tif 000007
【図６】
2016127719.tif 000008
【図７】
2016127719.tif 000009